(57)【要約】    【課題】  帯状台紙にラベルが連続的に仮着された記録媒体に用いられ、特に、剥離手段によって帯状台紙を搬送逆方向に折り返してラベルを帯状台紙から剥離する際、剥離された剥離手段上のラベルを見易くした剥離機構を提供する。【解決手段】  帯状台紙に複数のラベルＬが連続的に仮着された記録媒体４０を搬送する搬送ローラ３４を備えた移送手段と、記録媒体の搬送途中に設けられ帯状台紙Ｄの転向によりラベルを剥離するとともに、下流側が回動するよう回動軸５にて軸支された剥離手段２と、剥離手段の下流において、搬送ローラに押圧されるとともに、搬送ローラとの間に剥離手段で転向された帯状台紙を挟持して搬送するプレッシャローラ３と、剥離手段の下流側を回動すべく設けられた回動手段４と、を備えた。【選択図】  図２
2014031209.tif 000002
【特許請求の範囲】
【請求項１】
帯状台紙に複数のラベルが連続的に仮着された記録媒体を搬送する搬送ローラを備えた移送手段と、
前記記録媒体の搬送途中に設けられ帯状台紙の転向によりラベルを剥離するとともに、下流側が回動するよう回動軸にて軸支された剥離手段と、
前記剥離手段の下流において、前記搬送ローラに押圧されるとともに、前記搬送ローラとの間に前記剥離手段で転向された前記帯状台紙を挟持して搬送するプレッシャローラと、
前記剥離手段の下流側を回動すべく設けられた回動手段と、
を備えたことを特徴とする剥離機構。
【請求項２】
前記回動手段には、前記剥離手段の回動量を示す指標部が設けられることを特徴とする請求項１に記載の剥離機構。
【発明の詳細な説明】
【技術分野】
【０００１】
本発明は、帯状台紙にラベルが連続的に仮着された記録媒体に用いられ、特に、剥離手段によって帯状台紙を搬送逆方向に折り返してラベルを帯状台紙から剥離する剥離機構に関する。
【背景技術】
【０００２】
従来、台紙からラベルを剥離する剥離部を備えたラベルプリンタとしては、例えば、特許文献１に開示され、図３に示すようなものが知られている。
図３に基づき、従来のラベルプリンタ（印字装置）を説明すると、このラベルプリンタ３１は、「剥離タイプのプリンタ」であって、主に、ラベル供給軸３２、印字ヘッド３３とプラテンローラ（以下、適宜「プラテン」という）３４を備える印字部３５、巻取り軸３６、位置検出センサ３７、剥離部３８および剥離ラベル検出センサ（以下、適宜ラベルセンサという）３９とを備える。
ラベル供給軸３２には、「記録媒体」としてのラベル連続体４０を装着する。このラベル連続体４０は、同図の拡大図で示すように、帯状台紙（以下、適宜「台紙」という）ＤにラベルＬがほぼ等間隔に仮着されおり、台紙Ｄの裏面には、「アイマーク」と称する図示省略の識別マークが予め印刷されている。そして、この識別マーク（図示省略）間が一定のピッチで形成されるとともに、ピッチ間に仮着されたラベルＬが一葉の「ラベル片」として使用に供するようになっている。
ラベル供給軸３２に装着したラベル連続体４０は、ガイドローラ４１を経て下流側の印字部３５へと繰出し、印字ヘッド３３とプラテン３４の間に挿通し、更に、剥離部３８で転向し、台紙Ｄのみガイドローラ４２を経て巻取り軸３６へと巻き付ける。
図示しない既知の入力手段から所定の印字データや印字枚数などの印字情報（図示せず）を入力すると、ラベル連続体４０は、図示しないモータなどの駆動源を介して回転する「搬送ローラ」としてのプラテン３４および巻取り軸３６によってラベル供給軸３２から繰出され、巻取り軸３６へと巻き取られる途中で印字部３５により所望の印字データ（図示せず）がラベルＬに印字されるとともに、剥離部３８にて台紙Ｄが転向されることにより、ラベルＬが台紙Ｄより剥離されるとともに、ラベルＬの後端部が剥離部３８の台紙Ｄ上に載置された状態で発行口４３より発行されるようになっている。
発行されたラベルＬを指などでつまんで剥離部３８より取り外すと、発行口４３近辺に設けられた剥離ラベル検出センサ３９により取り出されたことが検出されるものである。
【０００３】
ところで、ラベルプリンタ３１で使用するラベル連続体４０は、情報の種類や量によってラベルＬの大きさ（ピッチ方向の長さ、および幅）が異なるものを使用するようになっている。特に、ラベルＬを貼付・表示する対象である被貼付物（図示省略）が小さいもの、あるいは、プリント基板のように貼付・表示する箇所が狭い範囲に限られるような被貼付物（図示省略）には、小ピッチ（識別マーク間のピッチ方向の長さサイズが小さいもの）のラベルＬを使用することがある。
しかしながら、小ピッチのラベルＬであると、剥離されたラベルＬが見えにくいという問題があった。
すなわち、剥離部３８がラベルプリンタ３１の筐体４４の内部に形成されており、ピッチ方向の長さサイズが長いラベルであると発行口４３から先端部が突出するが、小ピッチのラベルＬであると発行口４３から先端部が突出しないことがあり、発行の有無が分かりにくかったため、ラベルの発行が目視できるような機構が望まれた。
【先行技術文献】
【特許文献】
【０００４】
【特許文献１】特開２００１−３８９６６号公報
【発明の概要】
【発明が解決しようとする課題】
【０００５】
本発明は、上記の問題点に着目して成されたものであり、帯状台紙にラベルが連続的に仮着された記録媒体に用いられ、特に、剥離手段によって帯状台紙を搬送逆方向に折り返してラベルを帯状台紙から剥離する際、剥離された剥離手段上のラベルを見易くした剥離機構を提供することを課題とする。
【課題を解決するための手段】
【０００６】
本発明に係る記録媒体の剥離機構は、帯状台紙に複数のラベルが連続的に仮着された記録媒体を搬送する搬送ローラを備えた移送手段と、前記記録媒体の搬送途中に設けられ帯状台紙の転向によりラベルを剥離するとともに、下流側が回動するよう回動軸にて軸支された剥離手段と、前記剥離手段の下流において、前記搬送ローラに押圧されるとともに、前記搬送ローラとの間に前記剥離手段で転向された前記帯状台紙を挟持して搬送するプレッシャローラと、前記剥離手段の下流側を回動すべく設けられた回動手段と、を備えたことを特徴とする。
また、回動手段には、剥離手段の回動量を示す指標部が設けられるようにできる。
【発明の効果】
【０００７】
本発明の記録媒体の剥離機構は、記録媒体の搬送途中に設けられ帯状台紙の転向によりラベルを剥離するとともに、下流側が回動するよう回動軸にて軸支された剥離手段と、剥離手段の下流側を回動すべく設けられた回動手段とを備えるようにしたので、回動手段を回動することにより剥離板を任意の角度、最適な角度に回動・位置決めできるという効果がある。
また、剥離手段の下流において、搬送ローラに押圧されるとともに、搬送ローラとの間に剥離手段で転向された帯状台紙を挟持して搬送するプレッシャローラを設けたので、帯状台紙に対する引っ張り力が向上し、以て、帯状台紙からのラベルの剥離性が向上するという効果がある。
また、回動手段に、剥離手段の回動量を示す指標部を設けるようにすれば、回動量の目安が分かり易くなる。
【図面の簡単な説明】
【０００８】
【図１】本発明に係る剥離機構が搭載された印字装置の、剥離機構部分の概略側面図である。
【図２】同、指標部を含む剥離機構部分の拡大概略側面図である。
【図３】同、従来の剥離機構が搭載された印字装置の概略側面図である。
【発明を実施するための形態】
【０００９】
以下、本発明の一実施の形態につき、図１および図２に基づいて説明する。
なお、従来技術（背景技術）と同様の部分には同一符号を付すに止め、詳説は省略する。
図１は、本発明に係る剥離機構１が搭載された印字装置３１の概略側面図であり、図２は、指標部を含む剥離機構部分の拡大概略側面図である。
同図に示すように、剥離機構１は、搬送ローラとしてのプラテン３４と、剥離手段２と、プレッシャローラ３と、回動手段４と、を備える。
【００１０】
プラテン３４は、図示しないモータなどの駆動源を介して回転する「搬送ローラ」の役目を果たしており、印字ヘッド３３との間に記録媒体４０を挟持し、プラテン３４の回転により記録媒体４０を下流の剥離板２側へ搬送するようになっている。
なお、主に、プラテン３４および前記台紙Ｄの巻取り軸３６などにより「移送手段」が形成されるものである。
【００１１】
剥離手段２は、先端の下流側が鋭角に形成される「剥離板」であり、上流側の任意位置に回動軸５が設けられており、この回動軸５を中心に剥離板２は、先端の下流側が回動するよう軸支されている。
【００１２】
プレッシャローラ３は、剥離板２の下流において、「搬送ローラ」としてのプラテン３４に押圧されて設けられており、剥離板２で転向された台紙Ｄをプラテン３４との間で挟持して移送する役目を持っている。
【００１３】
回動手段４は、前記剥離板２の先端部（図１、図２における左側端部）を回動する回動固定部材６と、ガイド溝７と、指標部８とを備えている。
回動固定部材６は、剥離板２の先端側の側面に設けられ、筐体４４の側面（同図における手前側）に突出して設けられるとともに、所望の位置で固定できるようボルトとナットなどで成る「係止部材」を備えている。
ガイド溝７は、筐体４４の側面（同図における手前側）に形成された円弧状の溝部であり、前記剥離板２より側面に突出して設けられた回動固定部材６がこの溝に沿って摺動することにより、回動軸５を中心として剥離板２の先端部を回動するようになっている。
指標部８は、前記ガイド溝７の傍らに設けられた「目盛り」であり、ガイド溝７に沿って摺動する前記回動固定部材６の回動量の目安を示すようになっている。すなわち、発行するラベルＬのピッチ方向のサイズにより、どのくらいの量の回動を行うかの目安となるものであり、所望の位置に回動したのち回動固定部材６により固定することにより、剥離板２は所望の回動位置（同図における、上下方向の所望の位置）に位置決めされるようになっている。
なお、「目盛り」は、ラベルＬのピッチの表示（○〜Ｘｍｍ）や剥離板２の傾斜角度などによる表示が可能である。
【００１４】
次に、主に、図２に基づき、剥離機構１の使用状態につき説明する。
ピッチ方向の長さサイズが長いラベルＬを発行する際は、ガイド溝７に沿って回動固定部材６を上方へ回動し、ガイド溝７の上端部に位置決めすると、剥離板２の側面を摺動しながら回動された回動固定部材６によって剥離板２は先端部が上方に回動され、剥離板２の上端部がほぼ水平の状態となる（同図において、点線で示してある）。
剥離板２の先端部が上方に回動され、剥離板２の上端部がほぼ水平状態の位置２Ｘで長さサイズが長いラベルＬを発行すると、ラベルＬの先端部が発行口４３より突出するため、発行されたことが視認できる。
一方、上記の剥離板２の位置２Ｘでピッチ方向の長さサイズが短い小ピッチのラベルＬを発行すると、剥離板２より少し突出するだけであり、先端部が発行口４３から突出することなく筐体４４の内部に留まっている場合が多く、立ち上がってラベル発行することが多い作業者（ユーザー）の目Ｅで見た場合、視線Ｅ１が筐体４４に遮られてラベルＬが発行されたか否かが分かりにくいばかりか、ラベルＬが取外しにくかった。
【００１５】
上記を踏まえ、小ピッチのラベルＬを発行する際は、ガイド溝７に沿って回動固定部材６を下方へ回動し、剥離板２の先端部が下方に傾斜した位置２Ｙ（同図において、想像線で示してある）に位置決めする。すなわち、回動固定部材６による固定を解除し、ガイド溝７に沿って回動固定部材６を下方へ回動し、ガイド溝７の下端部に位置決めすると、剥離板２の側面に突出した回動固定部材６によって剥離板２は先端部が下方に回動されて位置決めされる。
剥離板２が位置２Ｙの状態で小ピッチのラベルＬを発行すると、剥離板２の先端部が発行口４３の下方に回動されるため、作業者の目Ｅで見た場合、視線Ｅ２が筐体４４に遮られることなくラベルＬの発行を視認し易くなる上、発行口４３の上下方向における任意位置に回動されるため、指またはピンセットなどによりラベルＬの取外しが容易となる。
なお、剥離板２は、回動軸５を中心として回動するため、印字ヘッド３３と剥離板２の先端部との距離に変わりはないので、剥離板２を任意の位置に回動したとしても、ラベルＬに対する印字、剥離および搬送などの制御に影響はないものである。
【００１６】
上述したように、「搬送ローラ」としてのプラテン３４とプレッシャローラ３の間に、剥離板２で転向された台紙Ｄを挟持した上で、プラテン３４に対しプレッシャローラ３を押圧して搬送するので、台紙Ｄに対する引っ張り力が向上するため、巻取り軸により巻き取る従来の台紙巻取りに比し、剥離板２における台紙ＤからのラベルＬの剥離性が向上するものであり、さらに、剥離板２が回動して先端部が下方に傾斜した位置２Ｙに位置決めされ、台紙Ｄの転向角度が大きい角度に変化した場合でも、剥離性が低下する虞はないものである。
【００１７】
また、ガイド溝７に沿って回動固定部材６を回動し任意の位置に固定できるので、ユーザーは、発行され剥離板２に留まっているラベルＬを視認できる最適な角度に剥離板２を回動できるものである。
【００１８】
なお、上記実施の形態の構成及び動作は例であって、本発明の趣旨を逸脱しない範囲で適宜変更することができることは言うまでもない。
【００１９】
例えば、従来技術における剥離検出センサ３９は、発行口４３の外部に設けられているが、小ピッチのラベルの検出がし易いよう、筐体４４の内側における剥離板２の近傍に設けることが望ましい。
【００２０】
また、上記の実施の形態では、説明の都合上、印字部３５で記録媒体４０に印字を施したラベルＬを剥離板２にて剥離する例で説明したが、これに限定されないことは勿論であり、例えば、「お買い得」や「値下げ品」などの内容が予め印刷された、いわゆるプロモーションラベルを剥離する剥離機に用いても構わないものである。
【符号の説明】
【００２１】
Ｅ    目
Ｅ１、Ｅ２  視線
Ｌ    ラベル
Ｄ    帯状台紙（台紙）
１    剥離機構
２    剥離手段（剥離板）
３    プレッシャローラ
４    回動手段
５    回動軸
６    回動固定手段
７    ガイド溝
８    指標部
３１  ラベルプリンタ（印字装置）
３２  ラベル供給軸
３３  印字ヘッド
３４  プラテンローラ（プラテン）
３５  印字部
３６  巻取り軸
３７  位置検出センサ
３８  剥離部
３９  剥離検出センサ
４０  記録媒体（ラベル連続体）
４１、４２  ガイドローラ
４３  発行口
４４  筐体
【図１】
2014031209.tif 000003
【図２】
2014031209.tif 000004
【図３】
2014031209.tif 000005